【手続補正書】
【提出日】平成26年8月20日(2014.8.20)
【手続補正１】
【補正対象書類名】明細書
【補正対象項目名】発明の名称
【補正方法】変更
【補正の内容】
【発明の名称】情報処理装置、情報処理方法
【手続補正２】
【補正対象書類名】明細書
【補正対象項目名】０００７
【補正方法】変更
【補正の内容】
【０００７】
本発明の目的を達成するために、例えば、本発明の情報処理装置は、印刷媒体上の情報を複写する機器が複写可能な最小画素数を保持する手段と、
潜像領域及び背景領域のうち一方を第１の領域、他方を第２の領域とした場合に、該第１の領域と該第２の領域とから成る潜像画像を取得する手段と、
入力画像を取得する手段と、
印刷装置で用いる複数色の色材のうち最も赤外線吸収率が高い色材を高色材とし、該高色材の単位面積あたりの使用量の上限値として予め定められた閾値よりも大きい値を有する前記最小画素数よりも少ない数の配列要素と、該閾値よりも低い値を有する複数の配列要素と、から成る規定サイズの２次元配列を生成し、該生成した２次元配列から前記潜像画像と同サイズの２次元配列を２次元形成配列として生成する生成手段と、
前記潜像画像において、前記第１の領域に属している画素位置における画素の画素値を、前記２次元形成配列中の該画素位置における値に置き換えた画像を、構成画像として生成する手段と、
前記入力画像中の各画素位置について、該画素位置における画素を印刷するために用いる前記複数色の色材の使用量を前記印刷装置に出力する出力手段とを備え、
前記出力手段は、前記入力画像中の各画素位置について、前記構成画像中の該画素位置における画素値を、前記入力画像中の該画素位置における画素を印刷するために使用する高色材の使用量として出力する
ことを特徴とする。
【手続補正３】
【補正対象書類名】明細書
【補正対象項目名】００２６
【補正方法】変更
【補正の内容】
【００２６】
画素列４０６は、画素値（Ｒａ、Ｇａ、Ｂａ）を有する画素、画素値（Ｒｂ、Ｇｂ、Ｂｂ）を有する画素、から成る。この画素列４０６をプリンタ４２に入力すると、プリンタ４２は、上記のテーブル４２１を参照し、画素列４０６中のそれぞれの画素について、該画素の画素値に対応するｃ、ｍ、ｙ、ｋのそれぞれの色材の使用量を決定する。そしてプリンタ４２は、それぞれの画素を、該画素について決定した色材の使用量だけ用いて印刷するので、プリンタ４２からは、部分４０５の複製物４０７が出力される。
【手続補正４】
【補正対象書類名】明細書
【補正対象項目名】０１３０
【補正方法】変更
【補正の内容】
【０１３０】
Ｉ／Ｏ１２１１には印刷装置としてのプリンタ１２１０が接続されており、コンピュータ１９９はこのＩ／Ｏ１２１１を介して、印刷画像の各画素についてｃ、ｍ、ｙ、ｋのそれぞれの使用量をプリンタ１２１０に送信する等、通信を行う。プリンタ１２１０は、例えばインクジェットプリンタ、レーザビームプリンタ、熱転写型プリンタ、ドットインパクトプリンタなどの印刷装置である。
【手続補正５】
【補正対象書類名】明細書
【補正対象項目名】０１３１
【補正方法】変更
【補正の内容】
【０１３１】
操作入力デバイス１２０６はキーボードやマウスなどの入力インターフェースにより構成されており、ユーザが操作することで、各種の指示をＣＰＵ１２０１に対して入力することができる。この操作入力デバイス１２０６は、Ｉ／Ｏ１２０７を介してバス１２１６に接続されている。
【手続補正６】
【補正対象書類名】明細書
【補正対象項目名】０１３２
【補正方法】変更
【補正の内容】
【０１３２】
なお、図１２に示した構成は、画像処理装置１１〜１３に適用可能なコンピュータの構成の一例に過ぎず、図１２に示した構成に適宜新たな構成を追加しても良いし、図１２に示した構成のうち適当な構成要件を状況に応じて省いても良い。また、１つの構成要件が担っている作業のうち一部を他の構成要件に分担させても良い。
【手続補正７】
【補正対象書類名】特許請求の範囲
【補正対象項目名】全文
【補正方法】変更
【補正の内容】
【特許請求の範囲】
【請求項１】
印刷媒体上の情報を複写する機器が複写可能な最小画素数を保持する手段と、
潜像領域及び背景領域のうち一方を第１の領域、他方を第２の領域とした場合に、該第１の領域と該第２の領域とから成る潜像画像を取得する手段と、
入力画像を取得する手段と、
印刷装置で用いる複数色の色材のうち最も赤外線吸収率が高い色材を高色材とし、該高色材の単位面積あたりの使用量の上限値として予め定められた閾値よりも大きい値を有する前記最小画素数よりも少ない数の配列要素と、該閾値よりも低い値を有する複数の配列要素と、から成る規定サイズの２次元配列を生成し、該生成した２次元配列から前記潜像画像と同サイズの２次元配列を２次元形成配列として生成する生成手段と、
前記潜像画像において、前記第１の領域に属している画素位置における画素の画素値を、前記２次元形成配列中の該画素位置における値に置き換えた画像を、構成画像として生成する手段と、
前記入力画像中の各画素位置について、該画素位置における画素を印刷するために用いる前記複数色の色材の使用量を前記印刷装置に出力する出力手段とを備え、
前記出力手段は、前記入力画像中の各画素位置について、前記構成画像中の該画素位置における画素値を、前記入力画像中の該画素位置における画素を印刷するために使用する高色材の使用量として出力する
ことを特徴とする情報処理装置。
【請求項２】
前記閾値は予め設定された値であり、前記高色材を用いて印刷した印刷領域と前記高色材を用いずに印刷した印刷領域とを前記機器を用いて複写し、該複写したそれぞれの印刷領域を赤外光下で赤外線カメラを用いて観察した場合に該複写したそれぞれの印刷領域の明度差を目視し難くするような、前記高色材の単位面積あたりの使用量の上限値であることを特徴とする請求項１に記載の情報処理装置。
【請求項３】
前記閾値よりも低い値を有する複数の配列要素のそれぞれの値の総和は予め定められた閾値以上であることを特徴とする請求項１又は２に記載の情報処理装置。
【請求項４】
前記閾値よりも低い値を有する複数の配列要素は、それぞれ同じ値を有することを特徴とする請求項１又は２に記載の情報処理装置。
【請求項５】
前記閾値よりも低い値を有する複数の配列要素は、それぞれ異なる値を有することを特徴とする請求項１又は２に記載の情報処理装置。
【請求項６】
前記閾値よりも低い値を有する複数の配列要素において、隣接するそれぞれの配列要素の値の差は閾値以下であることを特徴とする請求項３又は５に記載の情報処理装置。
【請求項７】
前記閾値よりも大きい値を有する前記最小画素数よりも少ない数の配列要素が有する値のうちの最大値と、前記閾値よりも低い値を有する複数の配列要素が有する値のうちの最小値と、の差は閾値以下であることを特徴とする請求項１乃至６の何れか１項に記載の情報処理装置。
【請求項８】
印刷媒体上の情報を複写する機器が複写可能な最小画素数を保持する情報処理装置が行う情報処理方法であって、
前記情報処理装置の第１の取得手段が、潜像領域及び背景領域のうち一方を第１の領域、他方を第２の領域とした場合に、該第１の領域と該第２の領域とから成る潜像画像を取得する工程と、
前記情報処理装置の第２の取得手段が、入力画像を取得する工程と、
前記情報処理装置の第１の生成手段が、印刷装置で用いる複数色の色材のうち最も赤外線吸収率が高い色材を高色材とし、該高色材の単位面積あたりの使用量の上限値として予め定められた閾値よりも大きい値を有する前記最小画素数よりも少ない数の配列要素と、該閾値よりも低い値を有する複数の配列要素と、から成る規定サイズの２次元配列を生成し、該生成した２次元配列から前記潜像画像と同サイズの２次元配列を２次元形成配列として生成する生成工程と、
前記情報処理装置の第２の生成手段が、前記潜像画像において、前記第１の領域に属している画素位置における画素の画素値を、前記２次元形成配列中の該画素位置における値に置き換えた画像を、構成画像として生成する工程と、
前記情報処理装置の出力手段が、前記入力画像中の各画素位置について、該画素位置における画素を印刷するために用いる前記複数色の色材の使用量を前記印刷装置に出力する出力工程とを備え、
前記出力工程では、前記入力画像中の各画素位置について、前記構成画像中の該画素位置における画素値を、前記入力画像中の該画素位置における画素を印刷するために使用する高色材の使用量として出力する
ことを特徴とする情報処理方法。
【請求項９】
コンピュータを、請求項１乃至７の何れか１項に記載の情報処理装置の各手段として機能させるためのコンピュータプログラム。
【手続補正８】
【補正対象書類名】図面
【補正対象項目名】図１２
【補正方法】変更
【補正の内容】
【図１２】
2013058866.tif 000001